(57)【要約】【課題】【解決手段】  トグルスイッチは、少なくとも１つのアーム１８を有する切換えロッカ１４と、その内部にて少なくとも１つの作動プッシュロッド２４が直線状に可動に案内される少なくとも１つの受け部２６を有する１つの案内板２８とを備えている。切換えロッカ１４のアーム１８は、作動プッシュロッド２４に力を加えることができる。切換え装置３０、３２が設けられ、該切換え装置に作動プッシュロッド２４が作用して電気接点を接続する。案内板２８及び作動プッシュロッド２４の各々は、破断線４５、４７を有しており、トグルスイッチを組み立てる前に、案内板及び作動プッシュロッドが該破断線に沿って互いに一体的に接続されている。【選択図】  図１
2005085762.tif 000002
【特許請求の範囲】
【請求項１】
トグルスイッチにおいて、
少なくとも１つのアーム（１８）を有する切換えロッカ（１４）と、
その内部にて少なくとも１つの作動プッシュロッド（２４）が直線状に可動であるように案内される少なくとも１つの受け部（２６）を有し、切換えロッカ（１４）のアーム（１８）が作動プッシュロッド（２４）に力を加えることのできる、案内板（２８）と、
作動プッシュロッド（２４）が電気接点を接続し得るように作用することのできる切換え装置（３０、３２）とを備え、
案内板（２８）及び作動プッシュロッド（２４）の各々が破断線（４５、４７）を有し、トグルスイッチ（１０）を組み立てる前に、該破断線（４５、４７）に沿って案内板及び作動プッシュロッドが互いに一体的に接続されるようにした、トグルスイッチ。
【請求項２】
請求項１に記載のトグルスイッチおいて、
作動プッシュロッド（２４）が案内板（２８）から分離する前に、作動プッシュロッド（２４）の下端（４２）及び受け部（２６）の壁（４８）の上端（４６）に配置された少なくとも１つのウェブ（４４）により案内板（２８）及び作動プッシュロッド（２４）が互いに接続されるようにした、トグルスイッチ。
【請求項３】
請求項２に記載のトグルスイッチおいて、
２つのウェブ（４４）が作動プッシュロッド（２４）に配置される、トグルスイッチ。
【請求項４】
請求項１ないし３の何れか１つに記載のトグルスイッチおいて、
案内板（２８）の受け部（２６）が、ウェブ（４４）の領域内に凹部（５６）を有し、該凹部（５６）は、ウェブ（４４）の他の部分が受け部（２６）の壁（４８）と接触し得ないような形態とされる、トグルスイッチ。
【請求項５】
請求項１ないし４の何れか１つに記載のトグルスイッチおいて、
作動プッシュロッド（２４）が、ウェブ（４４）の領域内に凹部（５４）を有し、該凹部（５４）は、ウェブ（４４）の他の部分が作動プッシュロッド（２４）と接触し得ないような形態とされる、トグルスイッチ。
【請求項６】
請求項１ないし５の何れか１つに記載のトグルスイッチおいて、
作動プッシュロッド（２４）の上端（２２）には、制限ストッパ（５０）が設けられる、トグルスイッチ。
【請求項７】
請求項１ないし６の何れか１つに記載のトグルスイッチおいて、
作動プッシュロッド（２４）の下端（４２）には、掛止め要素が設けられる、トグルスイッチ。
【請求項８】
請求項１ないし７の何れか１つに記載のトグルスイッチおいて、
少なくとも２つの作動プッシュロッド（２４）が設けられる、トグルスイッチ。
【請求項９】
請求項８に記載のトグルスイッチおいて、
作動プッシュロッド（２４）の上端（２２）に接続する少なくとも１つの接続要素（２０）が設けられる、トグルスイッチ。
【請求項１０】
請求項９に記載のトグルスイッチおいて、
作動プッシュロッド（２４）の各々の上端（２２）が丸味が付けられ、
接続要素（２０）が上端（２２）上に休止するようにした、トグルスイッチ。
【請求項１１】
請求項９又は１０の１つに記載のトグルスイッチおいて、
切換えロッカ（１４）のアーム（１８）が、２つの作動プッシュロッド（２４）の間にて中心から変位された接続要素（２０）に作用するようにした、トグルスイッチ。
【請求項１２】
請求項１ないし１１の何れか１つに記載のトグルスイッチおいて、
切換えロッカ（１４）が２つのアーム（１８）を有する、トグルスイッチ。
【請求項１３】
請求項１ないし１２の何れかの項に記載のトグルスイッチの製造方法おいて、
案内板（２８）及び作動プッシュロッド（２４）が一体物として製造され、
作動プッシュロッド（２４）が、力動作によって案内板（２８）の受け部（２６）内に押し込まれ且つ、これにより案内板（２８）から分離されるようにした、トグルスイッチの製造方法。
【請求項１４】
請求項１３に記載のトグルスイッチの製造方法おいて、
案内板（２８）及び作動プッシュロッド（２４）が、射出成形過程にて単一物として製造される、トグルスイッチの製造方法。
【発明の詳細な説明】
【技術分野】
【０００１】
本発明は、トグルスイッチ、及びトグルスイッチの製造方法、特に、２段式トグルスイッチの製造方法に関する。
【背景技術】
【０００２】
１つ又は多数の電気接点を接続するために切換えロッカの揺動又は回転動作が直線状動作に変換される、トグルスイッチが既知である。
【発明の開示】
【発明が解決しようとする課題】
【０００３】
本発明の目的は、信頼し得る切換え作用を保証する経済的なトグルスイッチを提供することである。
【課題を解決するための手段】
【０００４】
少なくとも１つのアームを有する切換えロッカと、少なくとも１つの作動プッシュロッドが内部にて直線状に可動に案内される少なくとも１つの受け部を有する１つの案内板とを備えるトグルスイッチにおいて、切換えロッカのアームが作動プッシュロッドに力を加え、また、作動プッシュロッドが電気接点を接続し得るようにその上に作用することのできる切換え装置に対し、案内板及び作動プッシュロッドが各々、破断線を有し、トグルスイッチを組み立てる前に、この破断線に沿って案内板及び作動プッシュロッドが互いに一体状に接続されるような構成とされるようにすることが可能である。作動プッシュロッドを案内板の受け部内にて案内する結果、切換え装置における純粋な直線力動作が保証される。これと同時に、プッシュロッドは、受け部内に個々に挿入する必要はなく、トグルスイッチを組み立てる前、又は組み立てる間、受け部内に押し込むことができるから、作動プッシュロッドの組み立て費用は、極めて僅かであり、このことは、複数の作動プッシュロッドが使用されるとき、特に有益なことである。このことは、機械により行うことができる。
【０００５】
作動プッシュロッドを案内板から分離させる前に、何れの場合でも、作動プッシュロッドの動作方向を基準にして切換え方向に見て、作動プッシュロッドの下端に、及び同様に、切換え方向に見て、受け部の壁の上端に配置された少なくとも１つのウェブにより案内板及び作動プッシュロッドが互いに接続されることが好ましい。好ましくは、作動プッシュロッドの各々には、２つのウェブが設けられるものとする。このため、案内板の平面内に突出したとき、作動プッシュロッドは、既に、その所望の位置に配置されている。受け部の方向への力動作に応答して、作動プッシュロッドは、自動的に正確に配置される。この型式の装置は、射出成形過程にて簡単に製造できる。
【０００６】
案内板の受け部は、ウェブの領域内に１つの凹部を有することが好ましく、この凹部は、ウェブの他の部分が受け部の壁と接触しないような形態とされている。同様に、ウェブ領域内の作動プッシュロッドは、ウェブの他の部分が作動プッシュロッドと接触しないような形態とされた凹部を有することができる。その結果、ウェブの他の部分が受け部内にて作動プッシュロッドの動作を邪魔しないことが保証される。これと同時に、凹部外の受け部の壁を使用することにより、実質的に遊び無しの案内部を提供することが可能である。
【０００７】
好ましくは、切換え方向に見て、作動プッシュロッドの上端に制限ストッパが設けられるようにし、該制限ストッパは、作動プッシュロッドの一体部分として製造することもできる。この制限ストッパは、作動プッシュロッドが案内板内に過度に深く進入するのを阻止する。
【０００８】
更に、作動プッシュロッドの下端に掛止め要素を設けることができ、該掛止め要素は、作動プッシュロッドが受け部内に押し込まれた後、作動プッシュロッドの下端に対する制限ストッパを形成し、これにより、作動プッシュロッドが案内板から落下しないように固定する。
【０００９】
相応する受け部内に配置され且つ、相応する数の切換え装置と関係した複数の作動プッシュロッドを提供することが好ましい。
複数の作動プッシュロッドが設けられるならば、この場合、作動プッシュロッドの上端と接続する接続要素を設けることができる。作動プッシュロッドの上端は丸味を付け、また、接続要素が上端に休止するようにすることが好ましい。このように、接続要素は、揺動動作を行うことができ、押し込んだ作動プッシュロッドと不作動位置にあるプッシュロッドとの間の高さ位置の差をこの揺動動作によって等しくすることができる。
【００１０】
切換えロッカのアームが２つの作動プッシュロッドの間の中心から変位した接続要素に作用する点にて、異なる切換え装置に対し異なる切換点を簡単に実現することができる。有効てこ比（ｅｆｆｅｃｔｉｖｅ  ｒａｔｉｏ）のため、切換え装置が作動される順序は明確に予め設定される。
【００１１】
このようにして、例えば、乗物の電動の窓昇降装置に対する２段式又は４段式トグルスイッチを実現することが可能である。２方向への傾動動作に基づいて、例えば、４つの切換え段を作動させることが可能である。４段式スイッチの場合、切換えロッカは、２つのアームを有することが好ましい。２つのアームの各々は、例えば、作動プッシュロッドの上端に休止する１つ又は複数の接続要素を介して２つの作動プッシュロッドを押し、このため、２つの切換え状態を実現することができる。
【００１２】
本発明は、トグルスイッチの製造方法に更に関する。この点に関して、案内板及び作動プッシュロッドは一体物として製造され、また、作動プッシュロッドは、力動作の結果、案内板の受け部内に押し込まれ、このため、案内板から分離される。
【００１３】
案内板及び作動プッシュロッドは、射出成形過程にて適宜なプラスチックから単一物として製造されることが好ましい。
本発明の更なる特徴及び有利な効果は、添付図面に関する一例としての実施の形態の以下の説明から明らかになるであろう。
【発明を実施するための最良の形態】
【００１４】
図１には、２アームの切換えロッカ１４に接続された切換えキー１２を有するトグルスイッチ１０が示されている。切換えロッカ１４は、図１に２つの矢印で示した、軸線１６の周りで２方向に傾動させることができる。この揺動動作は、以下に説明するように、切換え方向ｚへの直線状動作に変換され、その結果、１つ又はより多数の電気接点が接続される。
【００１５】
切換えロッカ１４の２つのアーム１８の各々は、この場合、薄板金属で出来た単一の接続要素２０上に休止する。一方、接続要素２０は、作動プッシュロッド２４の丸味を付けた上端２２（切換え方向ｚに関して）上に休止する。作動プッシュロッド２４の各々は、案内板２８の受け部２６内を案内される。該受け部２６は、図１及び図２に矢印で示した切換え方向ｚへの及び反対方向への作動プッシュロッド２４の直線状動作のみを許容する。接続要素２０から離れる側部において、作動プッシュロッド２４の下端は、この場合、従来のスイッチマット３２のスイッチドーム３０により形成された切換え装置と接触している。スイッチドーム３０がその下側部の接点を通じてスイッチマット３２の基部（図示せず）における相応する対向した接点と接触したとき、電気接点は接続される。スイッチドーム３０は、エラスティックな接続部３４を介してスイッチマット３２の基部に接続され、且つ、エラスティックに偏倚され、これらスイッチドームは図１に示した開放位置に戻るように付勢される。
【００１６】
案内板２８は、スイッチマット３２の方向に伸びる外側部に中央の平面状部分４０及びスペーサ部分３８を有している。
切換えキー１２の傾動又は回転動作は、受け部２６内を案内される接続要素２０及び作動プッシュロッド２４を介して純粋な直線状動作に変換され、このため、スイッチドーム３０には、常に、ｚ方向にのみ荷重が加えられる。
【００１７】
トグルスイッチ１０は、図１に不作動位置にて示してある。この場合、切換えロッカ１４は、釣合っており、このため、何れの作動プッシュロッド２４も荷重が加えられたり、その図示した当初の位置から変位することはない。何れのスイッチドーム３０も押し込まれることはなく、このためスイッチマット３２の全ての電気接点は開放している。しかし、がたつきを防止するため、スイッチドーム３０の各々は、約０．２ｍｍだけ偏倚されている。切換えロッカ１４及び作動プッシュロッド２４は、原則として僅かに偏倚される。
【００１８】
図示したトグルスイッチ１０は、例えば、乗物の電動窓昇降装置用として使用することのできる、４段式スイッチである。この場合、切換えキー１２の上側部分だけがが例えば、ドアクラッディングのような、乗物のライニング部分３６を越えて伸びることになろう。
【００１９】
切換えロッカ１４のアーム１８は、各場合に、２つの作動プッシュロッド２４間の中心から変位させた接続要素２０上に休止しており、このため、２つの相応するスイッチドーム３０に対する作動力は相違する。接続要素２０上におけるアーム１８の接点を介して、異なる切換え状態を起動させるのに必要な力を調節することができる。
【００２０】
最初に示した矢印の方向に従って、スイッチキー１２を押すのに応答して、最初に、図１の最左側に示した作動プッシュロッド２４に力が加えられ、従って、この作動プッシュロッド２４に割り当てられたスイッチドーム３０に力が加わり、このため、全てのスイッチドーム３０の作動力が同一である場合、この接点が最初に接続される。同一の方向に向けてより強力な力が加えられるならば、最初に押した作動プッシュロッド２４に隣接して右側にて図１に位置する作動プッシュロッド２４は、相応する電気接点が同様に接続される迄、押される。このことは、切換えキー１２をその他の示した矢印方向に引っ張ったときにも同様に生ずる。この場合、最初に接続する接点は、最右側に配置された接点である。
【００２１】
作動プッシュロッド２４の上端２２が丸味を付けられているため、１つ又はより多数の作動プッシュロッド２４が電気接点を接続すべくそれらの受け部２６内に押し込まれたならば、接続要素２０は、その位置を調節することができる。
【００２２】
以下に、トグルスイッチ１０の製造過程について詳細に説明する。
案内板２８及び作動プッシュロッド２４は、射出成形過程にて一体のユニットとして製造される。この装置は、図２に示してある。作動プッシュロッド２４は、作動プッシュロッド２４及び案内板２８と単一物として形成されたウェブ４４を介して案内板２８の受け部２６の壁４８の上端４６に両側部の下端４２にて接続されている。
【００２３】
案内板２８及び作動プッシュロッド２４にて構成された装置を製造した後、ｚ方向への力が作動プッシュロッド２４に加えられ、全ての作動プッシュロッド２４は、同時に相応する受け部２６内に押し込まれる。このことは、例えばレバープレスを使用することで行うことができる。この過程の間、ウェブ４４は破断線４５、４７にて破断する。この過程の後、作動プッシュロッド２４は、図３に示すように受け部２６内でｚ方向に可動に案内される。作動プッシュロッド２４の各々は、その上端２２に制限ストッパ５０を有しており、該制限ストッパは、作動プッシュロッド２４がｚ方向に向けて受け部２６内に過度に深く摺動するのを阻止する。更に、作動プッシュロッド２４の各々は、その下端４２に掛止め要素（図示せず）を有しており、該掛止め要素は、受け部２６内に押し込まれた後、案内板２８の平面状部分３８の下側部５２と接触し且つ、プッシュロッドが受け部２６外に摺動することになろう、作動プッシュロッド２４が切換え方向ｚと反対の方向に動くのを阻止する。制限ストッパ５０及び掛け止め要素により決定された作動行程距離はスイッチドーム３０を押し込むのに十分である。
【００２４】
ウェブ４４の領域内にて、作動プッシュロッド２４及び受け部２６の双方に凹部５４、５６が設けられている。これらの凹部５４、５６は、破断線４５、４７が作動プッシュロッド２４又は受け部２６の壁４８と接触するのを阻止する。作動プッシュロッド２４は、凹部５４、５６を除いて受け部２６の壁４８に対して位置している。
【００２５】
作動プッシュロッド２４が受け部２６内に押し込まれたとき、作動プッシュロッド２４の下端における掛止め要素（図示せず）はまた、案内板２８の下側部５２とも係合する。
作動プッシュロッド２４の各々の上端２２には、作動プッシュロッド２４と単一物として形成されたピン６０が設けられている。該ピン６０は、接続要素２０の相応する開口部を貫通して伸び且つ、接続要素２０を作動プッシュロッド２４に取り付ける。
【００２６】
接続要素２０が作動プッシュロッド２４の上に配置された後、ピン６０の各々の自由な上端は、熱処理によりきのこ形ヘッド部６２となるように形成され、接続要素２０が作動プッシュロッド２４から分離するのを阻止する。ヘッド部６２と接続要素２０との間の距離は、作動プッシュロッド２４の上端２２に対する接続要素２０の傾動動作が依然として許容されるように選ばれる。
【図面の簡単な説明】
【００２７】
【図１】本発明に従ったトグルスイッチの概略断面図である。
【図２】装置を製造した後、トグルスイッチを製造するため本発明に従った方法にて使用される、案内板及び２つの作動プッシュロッドにて形成された装置の概略断面図である。
【図３】作動プッシュロッドが案内板の受け部内に押し込まれた後の、図２の装置の図である。
【図４】図２の装置を示す概略斜視図である。
【図５】図２の装置を示す更なる概略斜視図である。
【図６】図５の拡大詳細図である。
【符号の説明】
【００２８】
１０    トグルスイッチ
１２    切換えキー
１４    切換えロッカ
１６    軸線
１８    アーム
２０    接続要素
２２    作動プッシュロッドの上端
２４    作動プッシュロッド
２６    案内板の受け部
２８    案内板
３０    スイッチドーム
３２    スイッチマット
３４    エラスティックな接続部
３６    乗物のライニング部分
３８    スペーサ部分／平面状部分
４０    平面状部分
４２    プッシュロッドの下端
４４    ウェブ
４５、４７    破断線
４６    受け部の壁の上端
４８    受け部の壁
５０    制限ストッパ
５２    案内板の下側部
５４、５６    凹部
６０    ピン
６２    きのこ形ヘッド部
ｚ    切換え方向
【図１】
2005085762.tif 000003
【図２】
2005085762.tif 000004
【図３】
2005085762.tif 000005
【図４】
2005085762.tif 000006
【図５】
2005085762.tif 000007
【図６】
2005085762.tif 000008
【外国語明細書】
2005085762000001.pdf